(57)【特許請求の範囲】
【請求項１】
移動可能なスキャナ装置の下部に設けられる爪部材と、
前記爪部材に係合可能に設けられた移動可能なロック部材と、
前記スキャナ装置の下方に位置し、開口部が設けられた底部フレームを有する保持構造であって、前記ロック部材は前記開口部に対して所定方向に移動し互いに異なる第１及び第２の状態が実現可能であり、
前記ロック部材を前記第１の状態に設定して、前記爪部材とロック部材とを係合させることにより、スキャナ装置の移動方向面および移動方向と直交する方向への移動を阻止可能に固定でき、前記ロック部材を前記第２の状態に設定して、前記爪部材からロック部材を開放できることを特徴とするスキャナの保持構造。
【請求項２】
前記爪部材は、水平部および垂下部を含むＬ字状部材からなり、前記爪部材の垂下部は、ロック部材に設けられたＵ字溝に挿入されるようにしたことを特徴とする請求項１に記載のスキャナの保持構造。
【請求項３】
前記爪部材は、ガイドレールに沿って移動するスキャナ装置に設けられることを特徴とする請求項１または２に記載のスキャナの保持構造。
【発明の詳細な説明】
【０００１】
【発明の属する技術分野】
本発明は、画像読取装置の走査部に配置するスキャナ装置の固定手段に関し、特に、画像読取装置を移動させる時や輸送する際等に、前記スキャナ装置を装置フレームに対して固定可能な装置に関する。
【０００２】
【従来の技術】
ファクシミリ装置や複写機等の画像形成装置と組み合わせて設ける画像読取装置においては、原稿をセットするプラテンの下面に沿ってスキャナ装置を配置し、前記スキャナ装置を副走査方向に移動可能に設けている。前記スキャナ装置は、光源としてのランプと複数のミラーおよび、結像レンズとＣＣＤ等の光電変換手段とを組み合わせて１つのユニットとして構成することがある。そして、前記スキャナ装置を原稿に沿わせて移動させることにより、原稿の画像を読み取った情報を、デジタル信号として出力する。前記スキャナ装置から伝達されるデジタル信号は、ファクシミリ装置の送信信号として用いる他に、複写機においては画像記録部で書込み手段に伝達され、感光体に光情報の書込みを行わせるために用いるようにしている。
【０００３】
【発明が解決しようとする課題】
前記１つのユニットとして構成するスキャナ装置を設けた画像読取装置を輸送する際には、前記スキャナ装置の下部にピンを設け、前記ピンを画像読取装置のフレームのロック部材により固定している。ところが、前記ロック部材による固定によって、スキャナ装置は移動方向に対しては固定されるが、上下方向には固定されていないために、輸送時の振動等により、スキャナ装置が浮き上がってしまい、プラテンガラスに当たる等の問題があった。
【０００４】
本発明は、１つの固定手段を用いて、スキャナ装置の移動方向と上下方向への移動を阻止できる固定構造を提供することを目的としている。
【０００５】
【課題を解決するための手段】
本発明は、スキャナの保持構造に関する。本発明の請求項１の発明は、移動可能なスキャナ装置の下部に設けられる爪部材と、前記爪部材に係合可能に設けられた移動可能なロック部材と、前記スキャナ装置の下方に位置し、開口部が設けられた底部フレームを有する保持構造であって、前記ロック部材は前記開口部に対して所定方向に移動し互いに異なる第１及び第２の状態が実現可能であり、前記ロック部材を前記第１の状態に設定して、前記爪部材とロック部材とを係合させることにより、スキャナ装置の移動方向面および移動方向と直交する方向への移動を阻止可能に固定でき、前記ロック部材を前記第２の状態に設定して、前記爪部材からロック部材を開放できることを特徴とする。また、請求項２の発明は、前記爪部材は、水平部および垂下部を含むＬ字状部材からなり、前記爪部材の垂下部は、ロック部材に設けられたＵ字溝に挿入されるようにしたことを特徴とする。そして、前記構成により、スキャナ装置の移動方向のみでなしに、上下方向にも固定可能である。
【０００６】
請求項３の発明は、前記爪部材は、ガイドレールに沿って移動するスキャナ装置に設けられることを特徴とする、したがって、前記スキャナ装置が移動方向に配置するガイドレールに載った状態で、走査作用を行うものであっても、上下方向の移動を阻止できるように固定可能である。
【０００７】
【発明の実施の形態】
図示される例にしたがって、本発明のスキャナの保持構造を説明する。図１には本発明の画像読取装置の平面図を、図２にはその正面図を示しているもので、前記図１、２に示すように、画像読取装置１のプラテン２の下面に沿って移動し、原稿の画像の読取りを行うスキャナー装置１０は、装置フレーム２のフロント側に配置するガイドレール７と、リヤ側に配置するガイドロッド８により案内される。前記スキャナー装置１０は、移動方向に直角な方向の両端部に、スライド部材１７とロッド摺動部材１８を突出させて設け、装置のロッド摺動部材１８側に設けたベルト固定部１９を駆動用ベルト２４に接続して、駆動装置２０により往復移動させる。そして、前記スキャナー装置１０を移動させるために、装置のリヤ側ではロッド摺動部材１８をガイドロッド８に遊びのない状態で案内し、フロントフレーム４側では摩擦係数の小さいガイドレール７にスライド部材１７を摺動させるようにしている。
【０００８】
前記スキャナー装置２０は、１つの読取りユニットとして構成されているもので、装置本体にランプ１１とミラー１２の他に、光を反射する複数のミラーを組み合わせて設けている。そして、端部のミラーにより反射した光をレンズ１３を介してＣＣＤ１４に結像して、前記ＣＣＤ１４により光信号をデジタル信号として出力させる。前記画像読取装置１のフレーム３は、図２に示すように、上部に配置するプラテン２に対してフロントフレーム４、リヤフレーム５および底部フレーム６を組み合わせて設け、前記フロントフレーム４の内面にはガイドレール７を突出させるように配置し、リヤフレーム５の内側にはガイドロッド８と駆動用ベルト２４とを平行に配置している。前記スキャナー装置１０は、駆動用ベルト２４の駆動側をベルト固定部１９に取付け、ベルトの戻り側２４ａはフレームの底部フレーム側に配置される。
【０００９】
前記スキャナー装置１０を往復移動させる駆動装置２０は、リヤフレーム５に支持させるモータ２１からベルト２２を介して駆動プーリ２３を駆動し、前記駆動プーリ２３に巻き掛けた駆動用ベルト２４を用いてスキャナー装置１０を駆動する。前記駆動装置２０の他方の側にはテンショナー２５を設けており、前記テンショナー２５においては、位置の調整が可能な支持フレーム２６にテンションプーリ２７を支持させ、引っ張りスプリング２８により所定の値の張力を駆動用ベルト２４に付与し、駆動用ベルト２４に対して一定の値の張力が付与されるようにする。そして、プラテンにセットした原稿のサイズの情報に対応させて、モータ２１を正転させてスキャナー装置１０を副走査方向に移動し、読取りの終了後にモータ２１を逆転させてスキャナー装置１０を待機位置に戻す動作を行うに際して、駆動用ベルト２４の張力が変動することを防止し、原稿の読取り時のスキャナー装置１０の移動速度を定速に維持できるようにする。
【００１０】
前記画像読取装置１には、輸送時や移動させる時等の装置に振動等が付与されることが想定される事態に対処させ、スキャナー装置１０をフレーム３に固定するために、スキャナー装置１０の下面に突出させた係合爪部材３１と、フレーム３の底部フレーム６に配置するロック部材３５とを組み合わせたロック装置３０を設けている。図３には前記ロック装置３０の構成を示しているもので、スキャナー装置１０の下面に設けている係合爪部材３１は、スキャナー装置フレームの下部に垂下させた垂下アーム３２の下端部に水平板部材３３を配置している。また、フレーム３の底部フレーム６に設けた開口部６ａに対して、図の左右方向（スキャナー装置の移動方向に直角な方向）に移動可能に、ロック部材３５の立ち上げ部３８を位置させている。前記ロック部材３５は、底部フレーム６の上面に対して所定の隙間を介して位置させる係止部材３６と、底部フレーム６の下面に摺動させる下部材３９とを、立ち上げ部３８により接続して構成する。
【００１１】
前記ロック部材３５の係止部材３６には、その先端部から切り込んだ状態の略Ｕ字状の係合溝３７を設けており、底部フレーム６の下面に位置する下部材３９には、底部フレーム６にねじ止めするためのネジ孔３４を設けて、ロック装置３０の係合爪部材３１をロック部材３５により係止する状態を維持できるようにする。前記ロック装置３０を作動させるに際しては、スキャナー装置１０を待機位置等の所定の位置に停止させることにより、ロック部材３５を係止できる状態となる。そして、前記スキャナー装置１０の停止位置を確認してから、画像読取装置のフレーム３を揺動させて底部フレーム６の下部に手を差し込み得るような空間を設け、底部フレーム６の下部でロック部材３５の下部材３９を手で移動させて、係合爪部材３１の垂下アーム３２の横からロック部材３５の係止部材３６を接近させ、前記係止部材３６の係合溝３７に垂下アーム３２を入り込ませるようにして係止する。
【００１２】
その後で、下部材３９のネジ孔３４を底部フレーム６に設けたネジ孔３４ａ（図１に示す）と一致させて、止めネジを装着してロック部材３５を底部フレーム６に固定する。前述したようなロック状態では、係止部材３６と水平板部材３３とが上下に接触あるいは近接するよう係止部材３６と水平板部材３３の垂直位置が設定されている。これによって、輸送時にスキャナー装置がガイドロッド８を支点として上下にガタつくことが防止される。その意味でも、これらロック機構は、ガイドロッド８からはなれた位置、すなわち、ガイドレール７側に設けられることが望ましい。
【００１３】
前述したようにして、ロック部材３５により係合爪部材３１を係止保持した状態では、係合爪部材３１の水平板部材３３の上にロック部材３５の係止部材３６が位置することになるので、ロック装置３０を作動させた時には、スキャナー装置１０がフレーム３の底部フレーム６に対して上下に移動不能な状態に固定される。そして、画像読取装置を輸送して使用場所に設置してから、前記ロック部材３５を固定している止めネジを外して、ロック部材３５を非作動位置に移動させるのみで、画像形成装置のスキャナー装置１０は使用可能な状態とすることができる。また、前記止めネジは、単純にロック部材３５の固定を行うのみであるから、ピンのような着脱容易な部材を用いることができるものであり、ロック部材３５を非作動状態に保持するための孔を底部フレーム６に別に設けておき、止めピンを別の保持用の孔に差し込んで、ロック部材の移動を防止するとともにピンを保持できるようにすることが可能である。
【００１４】
なお、前記本発明の実施例において、スキャナー装置１０の下部に突出させて設ける係合爪部材３１と、底部フレーム６に移動可能に設けるロック部材３５の構造は、本発明の目的を逸脱しない範囲で、任意に変更が可能である。つまり、ロック装置を作動させた時に、スキャナー装置１０の上下方向および走査方向、副走査方向に移動不能な状態に固定可能であれば、水平板部材３３と係止部材３６の係止のための構造と、係合溝３７による垂下アーム３２の固定構造等は、より確実なものとして変更可能である。さらに、底部フレーム６に取付けるネジ固定手段に関しても、前記ピンによる他に、その他の任意の固定手段を用いることもできる。
【００１５】
【発明の効果】
本発明の装置は、前述したように構成したものであるから、移動可能なスキャナ装置の下部に設けられる爪部材と、前記爪部材に係合可能に設けられた移動可能なロック部材とを係合させることにより、スキャナ装置をその移動方向のみでなしに、上下方向にも固定可能である。また、前記爪部材が、ガイドレールに沿って移動するスキャナ装置に設けられるので、前記スキャナ装置が移動方向に配置するガイドレールに載った状態で、走査作用を行うものであっても、上下方向の移動を阻止できるように固定可能である。
【図面の簡単な説明】
【図１】  本発明の画像読取装置の構成を示す説明図である。
【図２】  図１の画像読取装置の平面図である。
【図３】  ロック装置の構成を示す説明図である。
【符号の説明】
１    画像読取装置、  ２    プラテン、  ３    フレーム、
４    フロントフレーム、  ５    リヤフレーム、  ６    底部フレーム、
７    ガイドレール、  ８    ガイドロッド、  １０    スキャナー装置、
１１    ランプ、  １２    ミラー、  １３    レンズ、  １４    ＣＣＤ、
１７    スライド部材、  １８    ロッド摺動部材、
１９    ベルト固定部、  ２０    駆動装置、  ２１    モータ、
２２    伝導ベルト、  ２３    駆動プーリ、  ２４    駆動用ベルト、
２５    テンショナー、  ２６    支持フレーム、
２７    テンションプーリ、  ２８    スプリング、  ３０    ロック装置、
３１    係合爪部材、  ３２    垂下アーム、  ３３    水平板部材、
３４    ネジ孔、  ３５    ロック部材、  ３６    係止部材、
３７    係合溝、３８    立ち上げ部、  ３９    下部材。
【図１】
0004296673.tif 000002
【図２】
0004296673.tif 000003
【図３】
0004296673.tif 000004